(57)【特許請求の範囲】
【請求項１】
方形底板上の四隅にコーナー壁を植立させ、両側面のコーナー壁間には側壁を形成すると共に、切欠部を設け、両端面のコーナー壁間には切欠部を設けて容器を形成する一方、平板状の蓋には、コーナー壁内縁及び側壁内縁に嵌合する蓋縁を形成し、且つ側壁外縁上端に設けた嵌合溝に嵌合する嵌合爪を形成し、更に、コーナー壁両端面に形成した係止孔に係止させる係止爪を蓋縁に設けたことを特徴とするリードフレーム用ケース。
【請求項２】
蓋上面に凸部又は凹部を設けると共に、容器底面に蓋上面に設けた凸部又は凹部に対応する凹部又は凸部を設けることを特徴とする請求項１に記載のリードフレーム用ケース。
【発明の詳細な説明】
【０００１】
【発明の属する技術分野】
本発明はＩＣチップを搭載したリードフレームの運搬、保存用ケースに関するものである。
【０００２】
【従来の技術】
従来のＩＣチップを搭載したリードフレームの運搬、保存用ケースは容器と蓋とで構成されており、該蓋には蓋のずれ防止のための凸縁或は突起が容器側壁の内側或は外側の一方のみへ突設されている。
【０００３】
【発明が解決しようとする課題】
しかし、リードフレームの運搬、保存用ケースは運搬、収納時には幾段にも積み上げられ、下段のケースにはかなりの圧力が加わるので、従来のリードフレーム用ケースでは容器側壁が外側に湾曲し蓋が容器内部に落ち込み或いは容器側壁が内側に曲折し、リードフレームが損傷を受けてしまっている。特に最近はＩＣパッケージ技術の進歩によりリードフレームが立体的形状をしているため、上方向よりの圧力に対してリードフレームが変形しやすくなっており、リードフレームの損傷が著しい。そこで、上方向よりの圧力が加わった場合であっても容器側壁が外側に湾曲し蓋が容器内部に落ち込まない、或は容器側壁が内側に曲折しないリードフレーム用ケースの提供が望まれていた。
【０００４】
【課題を解決するための手段】
そこで本発明では上記課題を解決するため、方形底板上の四隅にコーナー壁を植立させ、両側面のコーナー壁間には側壁を形成すると共に、切欠部を設け、両端面のコーナー壁間には切欠部を設けて容器を形成する一方、平板状の蓋には、コーナー壁内縁及び側壁内縁に嵌合する蓋縁を形成し、且つ側壁外縁上端に設けた嵌合溝に嵌合する嵌合爪を形成し、更に、コーナー壁両端面に形成した係止孔に係止させる係止爪を蓋縁に設けることを特徴とする。
【０００５】
【発明の実施の形態】
以下、本発明を図に示す実施例に従って説明する。
１はリードフレーム用ケースであり、合成樹脂等で形成された容器２と蓋３から構成されている。容器２はリードフレームの形状に対応して長方形の底板２１の四隅にコーナー壁２２，２２…を植立し、両側面のコーナー壁２２，２２間に側壁２３を形成すると共に、切欠部２４を設ける一方、両端面のコーナー壁２２，２２間にも切欠部２５を設ける。側壁２３の外縁上端には嵌合溝２３１を形成すると共に、コーナー壁２２の両端面には係止孔２２１を適宜数穿設する。更に、容器底面に凹部２５を適宜数形成する。
【０００６】
コーナー壁２２，２２…は底板２１の四隅に底板２１端部に沿ってＬ字形に植立させて形成させ、該コーナー壁２２，２２…及び側壁２３，２３は収納するリードフレームに対応して適宜高に形成するものとし、側壁２３は容器２の側面の略中央に植立する。コーナー壁２２の側面及び側壁２３の形状は台形に形成すると共に、コーナー壁２２の端面は正四角形に形成する。勿論コーナー壁２２の側面及び側壁２３或はコーナー壁２２の端面の形状はこれに限られることなく夫々正四角形等或は台形等としてもよい。また、側壁２３は容器２の一側面に二以上設けてもよい。
【０００７】
嵌合溝２３１は側壁２３の中央部外縁上端を切欠いて形成し、切欠かれた側壁２３の内縁は上端まで切欠かれることなく形成されている。嵌合溝２３１の形状は嵌合爪３３の形状と略同一に形成し、嵌合溝２３１と嵌合爪３３が嵌合可能としている。尚、嵌合溝２３１は嵌合爪３３に対応させて一側壁に二以上の適宜数を設けてもよく、側壁２３に加えてコーナー壁２２，２２…の側面の外縁上端に設けてもよい。
【０００８】
係止孔２２１は係止爪３２１を係止させ、容器２と蓋３を結合させるためのものである。係止孔２２１はコーナー壁２２，２２…の両端面に各々一個を、係止爪３２１を挿入可能な形状に形成すると共に、係止孔２２１の上端からコーナー壁２２の上端までの幅が係止爪３２１上端から蓋縁３２上端の幅と同幅に成るように係止孔２２１をコーナー壁２２に形成する。尚、係止孔２２１は係止爪３２１に対応して、適宜数設ければよく、必ずしも両端面に各々２個である必要はなく、１個或は３個以上設けてもよい。
【０００９】
凹部２６はリードフレーム用ケース１，１…を重ねる際に上下のリードフレーム用ケース１，１…のずれを防止するためのものであり、凸部３４を嵌合させる部分であり、凸部３４に対応する底板２１下面に凹設する。凹部２６の形状は特に限定されないが、凸部３４の形状と略同一とすることは推奨される。
【００１０】
切欠部２４，２５はリードフレームを容器２に出し入れする際に移動搭載用アームの出入場所となる箇所であり、容器２の側面及び端面を底板２１まで切欠くことにより構成されている。切欠部２４は容器２側面のコーナー壁２２と側壁２３の間に設け、切欠部２５は容器２側端のコーナー壁２２，２２の間に設ける。
【００１１】
蓋３は長方形の平板状の蓋板３１から蓋縁３２及び嵌合爪３３を下方に突設し、蓋３の蓋板３１上面に凸部３４を適宜数形成すると共に、蓋縁３２には係止爪３２１を水平方向に突設して形成する。蓋縁３２は容器２と蓋３がずれないように設けるものであり、容器２と蓋３の結合時にコーナー壁２２，２２…及び側壁２３，２３の内壁に嵌合するように形成する。
【００１２】
嵌合爪３３，３３は嵌合溝２３１，２３１に対応する蓋３の側端略中央部より下方に突設するが、その形状は嵌合力、嵌合爪３３の強度等を考慮し、高さ２ミリメートル、幅５ミリメートル、奥行１ミリメートル以上とすることは推奨される。そして、容器２に蓋３を装着した際に、嵌合爪３３，３３は嵌合溝２３１，２３１に嵌合すると共に、嵌合爪３３と蓋縁３２の間に側壁２３が嵌合する。尚、嵌合爪３３はリードフレーム用ケース１の大きさ、側壁２３の位置、数等によっては蓋３の一側端に複数設けてもよい。この場合、嵌合溝２３１は側壁２３に複数設けてもよく、コーナー壁２２側面部に設けてもよい。
【００１３】
係止爪３２１は容器２に蓋３をする際に、係止爪３２１，３２１…を係止孔２２１，２２１…に挿入することにより、容器２と蓋３を結合させ、蓋３が容易に外れないようにするためのものである。係止爪３２１は蓋縁３２両側端から夫々一乃至二以上を水平方向に突設するが、０．５ミリメートル程度に突設して形成すると共に、その縦断面は正四角形とすることは推奨される。
【００１４】
凸部３４はリードフレーム用ケース１，１…を重ねる際に凹部２６に嵌合させるものであり、蓋板３１上面に適宜数を凸設する。その形状は凹部２６に嵌合可能であれば特に限定されないが、凹部２６と略同一形状に形成すると共に、リードフレーム用ケース１，１…のずれを確実に防止するため凸部３４及び凹部２６の縦断面が正四角形とすることは推奨される。尚、蓋３の上面３１に凹部、底板２１下面に凸部を形成してリードフレーム用ケース１，１…のずれを防止してもよい。
【００１５】
次いで、その使用方法について説明すれば、まず、容器２に適宜数のリードフレームを移動搭載用アーム等を使用して収納する。この際、リードフレームを保持する移動搭載用アームは切欠部２４，２４或は切欠部２５，２５に出入させる。蓋３をする際には、まず一端の蓋縁３２をコーナー壁２２内側に押し付けて係止爪３２１，３２１を係止孔２２１，２２１に挿入結合し、ついで結合した一端の蓋縁３２をコーナー壁２２内側に押し付けつつ蓋３の他端を降下し該他端の蓋縁３２の係止爪３２１，３２１を係止孔２２１，２２１に挿入結合する。この際に、嵌合爪３３，３３が嵌合溝２３１，２３１に嵌合されると共に、側壁２３が蓋縁３２と嵌合爪３３の間に保持される。リードフレーム用ケース１，１…を重ねる際には凸部３４，３４に凹部２６，２６を嵌合させて行う。
【００１６】
【発明の効果】
以上のように、請求項１の発明によれば、方形底板上の四隅にコーナー壁を植立させ、両側面のコーナー壁間には側壁を形成すると共に、切欠部を設け、両端面のコーナー壁間には切欠部を設けて容器を形成する一方、平板状の蓋には、コーナー壁内縁及び側壁内縁に嵌合する蓋縁を形成し、且つ側壁外縁上端に設けた嵌合溝に嵌合する嵌合爪を形成し、更に、コーナー壁両端面に形成した係止孔に係止させる係止爪を蓋縁に設けることを特徴としたので、リードフレーム用ケースを幾段にも重ねて下部のリードフレーム用ケースに上方向よりの圧力が加わった場合であってもリードフレーム用ケースの容器側壁が外側に湾曲し蓋が容器内部に落ち込むことがなく、また、容器側壁が内側に曲折することもないので、リードフレームが損傷することがない。また、リードフレームの出入を容易に行うことが可能となり、作業効率を向上することが可能となった。
【００１７】
又、請求項２の発明によれば、蓋上面に凸部又は凹部を設けると共に、容器底面に蓋上面に設けた凸部又は凹部に対応する凹部または凸部を設けたので、リードフレーム用ケースを重ねてもリードフレーム用ケース同士がずれることがないので、リードフレーム用ケースを幾段に重ねても、安定し、倒壊する恐れがないので、運搬、収納時に場所をとらず便利である。
【図面の簡単な説明】
【図１】  本発明一実施例分解斜視図
【図２】  本発明一実施例端面部使用状態縦断面図
【図３】  本発明一実施例側面部使用状態縦断面図
【図４】  本発明一実施例使用状態斜視図
【図５】  本発明一実施例使用状態縦断面図
【符号の説明】
１      リードフレーム用ケース
２      容器
２１    底板
２２    コーナー壁
２２１  係止孔
２３    嵌合溝
２４    切欠部
２５    切欠部
２６    凹部
３      蓋
３１    蓋板
３２    蓋縁
３２１  係止爪
３３    嵌合爪
３４    凸部
【図１】
0004280372.tif 000002
【図２】
0004280372.tif 000003
【図３】
0004280372.tif 000004
【図４】
0004280372.tif 000005
【図５】
0004280372.tif 000006